(57)【要約】【課題】本発明は、ナースコールの握り押ボタンや筆記具及び食器などの器具を患者の掌中に固定するだけでなく、握り押ボタンやそのケーブルなどを患者の身の回りに固定でき、かつ衛生面で優れる固定バンドを提供する。【解決手段】固定バンド１は、ベルト部１０とアンカー部２０とを備える。ベルト部１０は、柔軟な伸縮性部材で作られる。このベルト部２０は、複数の装着穴１１を長さ方向に一定の間隔で備える。装着穴１１は、長さ方向及び幅方向に沿って配置される各辺１２の中程が穴の内側に向かって突出し、コーナー部１４が円く形成されている。アンカー部２０は、ベルト部１０の長さ方向の両端に設けられ、ベルト部１０よりも幅方向に張り出している。【選択図】図１
2006271872.tif 000002
【特許請求の範囲】
【請求項１】
長さ方向及び幅方向に沿って配置される各辺の中程が穴の内側に向かって突出し４つのコーナー部が円く形成されている複数の装着穴を長さ方向に一定の間隔で有し、柔軟な伸縮性部材で作られるベルト部と、
前記ベルト部の長さ方向の両端に設けられ前記ベルト部よりも幅方向に張り出したアンカー部と
を備えることを特徴とする固定バンド。
【発明の詳細な説明】
【技術分野】
【０００１】
本発明は、帯状の伸縮性部材で作られて介助のために利用される固定バンドに関する。
【背景技術】
【０００２】
入院中の患者は、看護士を呼び出すためのナースコールの握り押ボタンを手元に置いておくことで、安心感を得られることもある。しかし、手元に置いておくだけでは、就寝中などに寝返りを打つことで置いたはずの場所からなくなってしまったり、直接見える位置にない場合は手探りで探さなければならなかったりと、いざ必要なときに握り押ボタンを直ぐに見つけられないことが多い。
【０００３】
そこで、ナースコールの握り押ボタンを手元や任意の位置に設置しておくことができるようにするために、特許文献１に開示されている取付手段がある。この取付手段は、間隔を空けて玉を数珠繋ぎにした連結体と、この連結体の端部に設けられて玉が係合する取付部と、取付部の一方に設けられる鰐口クリップとを備える。
【０００４】
この取付手段は、鰐口クリップが設けられていない側を握り押ボタンにつがなるコードに捲きつけて固定し、鰐口クリップが設けられた側を手首やベッドの手摺、背板の一部に一周させて鰐口クリップで連結体を挟持して固定する。または、鰐口クリップでシーツや枕カバー、あるいは患者のパジャマに直接つなぎとめることが示されている。
【０００５】
また、術後や運動麻痺の程度によって把持力が十分に発揮できない、あるいは、握り押ボタンを探すために腕を動かすことすらままならない患者の場合を考慮して、掌中に握り押ボタンを保持する手袋が、特許文献２に開示されている。この手袋は、握り押ボタンのボタンを親指と人差し指の間に配置する止め具を手のひら側に備え、握り押ボタンを片手で操作する。
【０００６】
さらに、握り押ボタンを十分に把持できない程度に手の握力に障害がある患者は、同様に食事用のスプーンやフォークまたは筆記具などの器具を手に持つことも難しい。このような場合に、これらの器具を粘着力で手のひらに保持する手の介助用粘着性保持具が、特許文献３に開示されている。この保持具は、手のひらに当てられる保持シートと、この保持シートから伸びるバンドとを備える。保持シートは、手のひらと反対側に粘着層を設けている。保持具は、バンドを手の甲に回して面状ファスナなどの係止具で互いに接続することで手に装着される。
【特許文献１】特開２０００−８４０１４号公報
【特許文献２】実開平６−７５４６９号公報
【特許文献３】実公平７−４１４５９号公報
【発明の開示】
【発明が解決しようとする課題】
【０００７】
しかしながら、特許文献１に記載の取付手段は、握り押ボタンを連結体でつなぐだけで特定の場所に固定されるわけではない。握り押ボタンを操作するには、鰐口クリップでつなぎ留められたところの近くを探すか、連結体を辿る必要がある。つまり、手首にぶら下げている場合でも直ぐに操作できないこともある。したがって、利用できる患者は、ある程度に身体の自由が利く場合に限られる。特に、配置を換える場合には、連結体の端部や鰐口クリップなどに対して細やかな作業を必要とする。
【０００８】
特許文献２に記載の手袋の場合、掌中にナースコールの握り押ボタンを保持しておくための専用のものであり、別の物を把持したり、握り押しボタンをベッドの手摺など別の所に固定したりできるものではない。また、手袋の衛生状態を保つために手間がかかる。
【０００９】
特許文献３に記載の介助用粘着性保持具は、十分な握力が無い場合でも食器や筆記具などを粘着性部材によって掌中に固定するものであるため、髪の毛や埃などのごみも付着しやすい。埃が付着すると粘着力が低下するだけでなく不衛生である。
【００１０】
そこで、本発明は、ナースコールの握り押ボタンや筆記具及び食器などの器具を患者の掌中に固定するだけでなく、握り押ボタンやそのケーブルなどを患者の身の回りに固定でき、かつ衛生面で優れる固定バンドを提供することを目的とする。
【課題を解決するための手段】
【００１１】
本発明に係る固定バンドは、ベルト部とアンカー部とを備える。ベルト部は、柔軟な伸縮性部材で作られる。このベルト部は、複数の装着穴を長さ方向に一定の間隔で備える。装着穴は、長さ方向及び幅方向に沿って配置される各辺の中程が穴の内側に向かって突出し、４つのコーナー部が円く形成されている。アンカー部は、ベルト部の長さ方向の両端に設けられ、ベルト部よりも幅方向に張り出している。
【００１２】
装着穴は、楕円または長円の長径をベルト部の長さ方向に対して４５°に傾け、かつ、これを直角に重ね合わせた四葉形の形状であってもよい。また、ベルト部が全体的に伸びるように、隣り合う装着穴どうしの間の部分に、装着穴の幅方向に側部の厚さよりも薄い薄肉部を設ける。指先の感覚で端部を識別できるように、アンカー部に突起を設ける。固定バンドが取り付けられていることを容易に視認できるように、固定バンドを肌色やべっ甲色以外の色に着色するとよい。
【発明の効果】
【００１３】
本発明に係る固定バンドは、複数の装着穴を長さ方向に一定の間隔で設けたベルト部と、このベルト部の長さ方向の両端にアンカー部を備えるので、掌中に把持されるもの、例えば、ナースコールの握り押ボタンや筆記具あるいはフォークやスプーンといった食器など、固定したいものを装着穴に通したり、固定したいものを固定したい部位に当てた状態でバンド部を捲き付けアンカー部を装着穴に掛合させたりして容易に固定することができる。
【００１４】
固定バンドは、柔軟かつ伸縮性の部材で作られるため、手など身体に直に捲き付けても局所的に擦れることもない。また、固定バンドを少し伸ばして捲き掛けることによって、握力の低下している利用者に対してナースコールの握り押ボタンや手に握られる器具を掌中に固定する場合、利用者は、しっかりと把持している実感が得られる。また、液体が浸透しない部材を採用することで、汚れても直ぐに洗って清潔に保つこともできる。
【００１５】
装着穴が一定の間隔で設けられているので、固定したいものは、いずれかの装着穴に通せばよい。特に、２つの装着穴を使って棒状のものを固定する場合、利用する装着穴の位置を利用形態に応じて変えることで、固定したいところに捲き掛けるベルト部の長さを変えることができる。また、両端部にアンカー部を備えるので、このアンカー部を装着穴に通してフープ状にすることができるだけでなく、２つ以上の固定バンドを連結して使用することもできる。
【発明を実施するための最良の形態】
【００１６】
本発明に係る一実施形態の固定バンド１は、図１から図１３を参照して説明する。固定バンド１は、柔軟かつ伸縮性を有した部材で作られ、ベルト部１０とアンカー部２０とを備える。ベルト部１０は、長さ方向に一定の間隔を空けて複数の装着穴１１が設けられている。なお、各装着穴１１の形状は、同じであるので、詳細な符号は代表して１つの装着穴１１に付す。
【００１７】
装着穴１１は、長さ方向及び幅方向に沿って配置される各辺１２の中程に穴の内側に向って突出部１３を有し、４つのコーナー部１４が円く形成されている。装着穴１１の具体的な形状として別の表現をすると、楕円または長円の長径をベルト部１０の長さ方向に対して４５°に傾け、かつ、これ（楕円または長円）を長径が直交するように重ね合わせて作られる四葉形である。そして、楕円または長円どうしが交差する部分が、突出部１３となる。
【００１８】
隣合う装着穴１１どうしの間に、薄肉部１５が形成されている。薄肉部１５が形成されることによって、固定バンド１を引き伸ばした場合に装着穴１１の側部および各コーナー部１４に引張荷重が集中することなく、分散させることができる。薄肉部１５は、両面側から均等に段差を設けることによって形成される。したがって、表裏なく使用できる。また、装着穴１１及び薄肉部１５を有していることで、通気性が良くなり、直接肌に触れるように捲き付けて使用しても、べた付いたり蒸れたりすることを軽減できる。
【００１９】
アンカー部２０は、ベルト部１０の長さ方向の両端に設けられ、ベルト部１０よりも幅方向に張り出す係止部２１を備える。また、ベルト部１０と一続きにつながるアンカー部２０の基部２２は、装着穴１１の開口幅とほぼ同じ幅にくびれている。また、アンカー部２０の中央部には、両面側に突出する突起２３を備える。この突起２３を有することで、アンカー部２０を指先の感覚で識別できる。
【００２０】
固定バンド１の具体的な寸法及び材質について以下に一例を挙げる。ベルト部１０の全長は、約２５０ｍｍ、幅は、２５〜３０ｍｍ、装着穴１１のピッチは、３０ｍｍ前後、装着穴１１の数は、７個、厚肉部（装着穴１１の側部及びアンカー部２０）は、２ｍｍ、薄肉部１５は、１ｍｍ、アンカー部２０の係止部２１の幅は、３５ｍｍ、装着穴１１の内幅は、１５ｍｍ前後、突出部１３の間は、１２ｍｍ、アンカー部２０に設けられる突起の数は、両面にそれぞれ３つずつである。また、外周及び装着穴１１の縁は、全て丸く仕上げる。なお、上記各寸法のうち特に全長については、長さの異なるものを数種類用意すると、この固定バンド１を利用できる用途が増える。
【００２１】
また、固定バンド１の材質は、ショアー硬さで４５Ａ〜６５Ａのシリコーンゴム、あるいは、ウレタンエラストマなど、化学的に安定で生態適応性が良く、かつ、耐熱性及び耐寒性、耐薬品性、耐磨耗性に優れ、伸び率８００〜９００％ぐらいのものが好ましい。このような材質にすることで、消毒や滅菌などを行うためにアルコールで洗浄した場合にも劣化に強く、石鹸で洗った場合にも乾かして直ぐに利用できる。したがって、この固定バンド１は、医療における衛生面でも優れている。色は、視覚的に識別しやすくするために、白色、無色透明、肌色やべっ甲色は避け、蛍光色やナースコールのボタンの色であるオレンジ色を採用することが好ましい。
【００２２】
形状の異なる装着穴１１ａ〜１１ｄを図１３の（ａ）〜（ｄ）に示す。（ａ）に示す装着穴１１ａは、ベルト部１０の幅方向に長い十文字に設けられている。幅方向の両端は、引張荷重が集中しないように円穴Ｓが設けられている。（ｂ）に示す装着穴１１ｂは、三方に延びるスリットの端部に円穴Ｓが設けられている。（ｃ）に示す装着穴１１ｃは、ベルト部１０の長さ方向及び幅方向に沿って楕円を重ね合わせた形である。（ｄ）に示す装着穴１１ｄは、ベルト部１０の幅方向に長い菱形である。角部は、丸く形成されている。
【００２３】
いずれの装着穴１１ａ〜１１ｄでも装着穴１１と同様の機能を果たすが、伸張した状態を考慮すると、図１に示した装着穴１１が最も好適であった。装着穴１１の場合、穴の形状は、伸張した状態でほぼ長方形になり、握り押ボタンなどに装着しやすくなる。また、突出部１３がパイプなどを４方向から抑えるため、安定する。
【００２４】
以上のように、この固定バンド１は、身の回りのものを一時的に好みの場所に固定するために、簡単に用いることができるだけでなく、柔軟な部材でできているため、介助のために手に直接捲き付けたりして使用することも可能である。  
以下に、固定バンド１の使用実施例を記載する。
【実施例１】
【００２５】
固定バンド１を用いてナースコールの握り押ボタン１００を掌中に保持する例を図２に示す。固定バンド１は、どちらか一方の端を始端１０ａとし、他方の端を終端１０ｂとする。まず、始端１０ａ寄りの装着穴１１に握り押ボタン１００を通す。握り押ボタン１００を固定したい側の手に宛がって、固定バンド１を手の甲に捲きかけ、終端１０ｂ寄りの装着穴１１に握り押ボタン１００を一方の端のアンカー部２０とともに挿入する。利用者の手の大きさおよび好みの締め付け感に応じて、装着穴１１を変えればよい。
【００２６】
始端１０ａ側のアンカー部２０が、終端１０ｂ側の装着穴１１に掛合されるとともに、固定バンド１が重なる部分の摩擦力でずれることなく固定される。また、長さの余ったベルト部１０やアンカー部２０は、ベルト部１０の幅方向に配置される装着穴１１の突出部１３によって、握り押ボタン１００の胴体に沿う方向へ寝かされる。したがって、余長部がぶらついて邪魔になることが無い。
【００２７】
このように、固定バンド１を使用することで、簡単にナースコールの握り押ボタン１００を掌中に固定することができる。したがって、特に、術後や上肢麻痺によって十分に握力が発揮できない患者でも、握り押ボタン１００を常に手に保持しておくことで安心感が得られ、親指を動かすのみの、ワンアクションで握り押ボタン１００を操作することができる。
【実施例２】
【００２８】
固定バンド１を用いてナースコールの握り押ボタン１００を中指に装着した場合を図３に示す。この実施例２において、固定バンド１は、装着穴１１に握り押ボタン１００が挿入されており、アンカー部２０は、握り押ボタン１００を固定するために直接寄与していない。図２に示した実施例１と同様に、握り押ボタン１００を手に持っておくことができる。実施例１の場合に比べ、ベルト部１０が捲きつけられるのは中指のみであり、固定バンド１で手が全体的に締め付けられるような感覚はない。また、本実施例２では、中指のみに固定バンド１を巻きつけているが、中指以外に人差し指あるいは薬指もいっしょに巻きつけても良い。
【実施例３】
【００２９】
固定バンド１を用いて握り押ボタン１００から延びるケーブル１０１を手首といっしょに捲きとめている場合を図４に示す。アンカー部２０は、お互いに反対側のアンカー部２０の隣に設けられた装着穴１１に挿し通されている。就寝中などに腕を動かしても手元に握り押ボタン１００をつなぎとめておくことができる。
【実施例４】
【００３０】
固定バンド１を用いて握り押ボタン１００を手首に固定する状態を図５に示す。固定バンド１を手首に捲き付け、装着穴１１の１つに握り押ボタン１００を挿入している。実施例３の場合に比べてしっかりと手首に握り押ボタン１００を固定することができる。患者は、握り押ボタン１００が固定されている箇所を感覚的に理解しているので、他方の手ですばやく操作することができる。
【実施例５】
【００３１】
固定バンド１を用いて介助用の食器１０２を掌中に固定する状態を図６に示す。握力に障害がある場合にも固定バンド１を利用することで柄１０２ａが太く作られた介助用の食器１０２をしっかりとサポートすることができる。ナースコールの握り押ボタン１００以外の器具として、介助用の食器１０２、ここでは、スプーンの頭が取り付けられたものを例に図示している。始端１０ａ側の装着穴１１に柄１０２ａを通し、残りの部分を親指と人差し指の間から手の甲に回し、スプーンの先端１０２ｂを終端１０ｂ側から３つ目の装着穴１１に通し、最後に終端１０ｂ側の一番端の装着穴１１を柄１０２ａ側に引っ掛けて留めている。
【００３２】
柄１０２ａに３箇所の装着穴１１が通されるので、しっかりと固定できる。また、スプーン以外のフォークやナイフなどの食器の他、手のひらよりも長くかつ装着穴１１に差し込める程度の太さのものであれば、同様に装着することができる。
【実施例６】
【００３３】
固定バンド１を用いて筆記具１０３を手に持たせた状態を図７に示す。始端１０ａ側の装着穴１１に筆記具１０３を通し、筆記具１０３の先端側を親指、人差し指、中指で摘んだところに、始端１０ａ側から３つ目の装着穴１１を筆記具１０３の先端側から通す。さらに、残りの固定バンド１を小指側から図７に示すように手の拳に回し掛け、終端１０ｂ側の装着穴１１を再び筆記具１０３に引っ掛けて留める。筆記具１０３を通常使用する形に近い状態で保持することができ、しっかりと握った感覚が得られるため、書きやすくなる。
【実施例７】
【００３４】
固定バンド１を用いてナースコールの握り押ボタン１００をベッドの手摺２０１に固定した状態を図８に示す。始端１０ａ側の装着穴１１に握り押ボタン１００を通し、手摺２０１に下から回し掛けて、ベルト部１０の途中の適度な緊張状態となる装着穴１１を上から握り押ボタン１００に被せ、残りの部分を手前に垂らしている。幅方向に沿う辺１２に突出部１３が形成されているので、手前に垂らした固定バンド１の残りの部分は、握り押ボタン１００の外面に沿って寝かされる。固定方法が簡単であるとともに、余剰部分が張り出さないので、固定バンド１を装着した状態での見栄えも良い。
【実施例８】
【００３５】
固定バンド１を用いてナースコールの握り押ボタン１００をベッドの手摺２０１に対してやや斜めに固定した状態を図９に示す。始端１０ａ側の装着穴１１に握り押ボタン１００を通し、手摺２０１に２周捲き付け、適度な緊張状態となる装着穴１１、ここでは、終端１０ｂ側から２番目の装着穴１１を握り押ボタン１００に被せる。このとき始端１０ａ側のアンカー部２０も握り押ボタン１００といっしょに装着穴１１に通す。始端１０ａ側の装着穴１１に通された握り押ボタン１００は、１周目に捲かれるベルト部１０と迫合い、さらに２周目に捲かれるベルト部の終端１０ｂ側の装着穴１１によって、１周目に捲かれるベルト部１０の方へ引っ張られる。この結果、握り押ボタン１００は、やや傾いた状態となる。患者が操作しやすい方向へ傾けた状態で固定される。
【実施例９】
【００３６】
固定バンド１を用いてナースコールの握り押ボタン１００をベッドの手摺２０１と柵２０２との結合部２０３に固定する状態を図１０に示す。固定バンド１の巻き付け方は、実施例８と同様である。ただし、始端１０ａ側のアンカー部２０を終端１０ｂ側の装着穴１１に通していない。突出部１３が設けられているため、終端１０ｂ側の余長部が垂れることなく、握り押ボタン１００に沿って伸びている。
【実施例１０】
【００３７】
固定バンド１を用いてナースコールの通話機付押ボタン１００ａをベッド２００の手摺２０１に固定した状態を図１１中に示す。固定方法は、実施例３及び実施例４の固定方法と同じで、始端１０ａ側のアンカー部２０を終端１０ｂ側の装着穴１１へ、終端１０ｂ側のアンカー部２０を始端１０ａ側の装着穴１１へそれぞれ通している。このとき、通話機付押ボタン１００ａの通話部１００ｂが装着穴１１から見える用に固定バンド１を装着することにより、通話に支障をきたすことなく、通話機付押ボタン１００ａは、固定される。
【実施例１１】
【００３８】
固定バンド１を用いてナースコールの脚用押ボタン２０４をベッド２００の手摺２０１に固定した状態を図１１中に示す。固定バンド１は、伸縮性部材で作られているので、ある程度大きなものでも固定することができる。長さが足りない場合は、２つの固定バンド１の始端１０ａ部と終端１０ｂ部とを連結させてつなげば良い。
【実施例１２】
【００３９】
固定バンド１を用いてナースコールの子機２０５から延びるケーブル１０１をベッド２００の手摺２０１及び背板２０６に固定する状態を図の１１中に示す。余長部分は、ベッド２００の外側に垂れるようにする。なお、余った部分を垂らさずに、さらに巻きつけても良い。この場合、ちょうど重なる装着穴１１に始端１０ａ側のアンカー部２０を通す。
【実施例１３】
【００４０】
固定バンド１を用いてナースコールの握り押ボタン１００を車椅子３００の肘掛３０１に固定した状態を図１３に示す。また、同様に、肘掛のある椅子に取り付けることもできる。
【産業上の利用可能性】
【００４１】
本発明の固定バンドは、医療分野においてナースコールの握り押ボタンをベッドの手摺や患者自身の掌中など、患者の好みの位置に固定したり、介助のために手に把持する物をしっかりとサポートしたりすることに利用されるだけでなく、一時的にあるものを括りつけたり束ねたりすることにも利用できる。
【図面の簡単な説明】
【００４２】
【図１】本発明に係る一実施形態の固定バンドの平面図。
【図２】図１に示した固定バンドを用いた実施例１の斜視図。
【図３】図１に示した固定バンドを用いた実施例２の斜視図。
【図４】図１に示した固定バンドを用いた実施例３の斜視図。
【図５】図１に示した固定バンドを用いた実施例４の斜視図。
【図６】図１に示した固定バンドを用いた実施例５の斜視図。
【図７】図１に示した固定バンドを用いた実施例６の斜視図。
【図８】図１に示した固定バンドを用いた実施例７の斜視図。
【図９】図１に示した固定バンドを用いた実施例８の斜視図。
【図１０】図１に示した固定バンドを用いた実施例９の斜視図。
【図１１】図１に示した固定バンドを用いた実施例１０〜１２の斜視図。
【図１２】図１に示した固定バンドを用いた実施例１３を示す斜視図。
【図１３】図１に示した固定バンドに対して装着穴の他のパターンを示す図。
【符号の説明】
【００４３】
１…固定バンド、１０…ベルト部、１１，１１ａ，１１ｂ，１１ｃ，１１ｄ…装着穴、１２…辺、１３…突出部、１４…コーナー部、２０…アンカー部。
【図１】
2006271872.tif 000003
【図２】
2006271872.tif 000004
【図３】
2006271872.tif 000005
【図４】
2006271872.tif 000006
【図５】
2006271872.tif 000007
【図６】
2006271872.tif 000008
【図７】
2006271872.tif 000009
【図８】
2006271872.tif 000010
【図９】
2006271872.tif 000011
【図１０】
2006271872.tif 000012
【図１１】
2006271872.tif 000013
【図１２】
2006271872.tif 000014
【図１３】
2006271872.tif 000015